(57)【要約】【課題】市販製品では、回線容量Ａ全てのフレームを全てキャプチャすることは困難である。【解決手段】フレームキャプチャ装置を複数台用意する。前段にフレーム振分け装置を設け、フレーム内のサービス種別をキーにしてフレームを振分ける。フレームは分割せずにキャプチャ装置に格納する。各キャプチャ装置のフレーム入力バッファに、バッファ使用量閾値を設け、閾値を超えた場合に、警報として前段のフレーム振分け装置に通知する。通知を受けたフレーム振分け装置は、一時的に振り先を変更して、キャプチャ記録性能以上のトラヒックをキャプチャ装置に流さないように調整する。【選択図】図４
2010178299.tif 000002
【特許請求の範囲】
【請求項１】
フレームを複数のキャプチャ装置に振分ける振分け装置と、前記フレームを記録する複数のキャプチャ装置と、記録されたフレームを取り出し解析する解析装置とを備え、
前記キャプチャ装置は、フレーム入力バッファの使用量算出部と、前記算出部の監視部とを備え、前記監視部は、前記使用量が定められたバッファ閾値を超えたとき、閾値異常警報として前記振分け装置に送出し、
前記振分け装置は、フレームの振分け先を設定する方路設定部を備え、前記方路設定部は、前記閾値異常警報を受信したとき、前記閾値異常警報を送信したキャプチャ装置へのフレーム振分けを停止することを特徴とするフレームキャプチャシステム。
【請求項２】
請求項１に記載のフレームキャプチャシステムであって、
前記振分け装置は、前記フレーム内のサービス種別情報に基づいて、このフレームの送信先キャプチャ装置を決定することを特徴とするフレームキャプチャシステム。
【請求項３】
請求項１に記載のフレームキャプチャシステムであって、
前記振分け装置は、前記閾値異常警報を受信したとき、前記閾値異常警報を送信したキャプチャ装置へのフレームを他のキャプチャ装置へ変更して送信することを
【請求項４】
請求項２に記載のフレームキャプチャシステムであって、
前記振分け装置は、前記閾値異常警報の受信が停止したとき、前記サービス種別ごとに決められたデフォルトのキャプチャ装置に変更することを特徴とするフレームキャプチャシステム。
【請求項５】
請求項３に記載のフレームキャプチャシステムであって、
前記振分け装置は、前記閾値異常警報によりフレームの出力先を変更したとき、フレームの出力先を記録することを特徴とするフレームキャプチャシステム。
【請求項６】
請求項５に記載のフレームキャプチャシステムであって、
前記フレーム解析装置は、前記振分け装置の前記記録に基づき、フレームデータを収集する対象のキャプチャ装置を特定することを特徴とするフレームキャプチャシステム。
【請求項７】
フレームを複数のキャプチャ装置に振分けるステップと、
フレーム入力バッファの使用量を算出するステップと、
前記使用量が定められたバッファ閾値を超えたとき、閾値異常警報を送出するステップと、
前記閾値異常警報を受信したとき、前記閾値異常警報を送信したキャプチャ装置へのフレーム振分けを停止し、閾値異常警報を送信していないキャプチャ装置へフレーム振分けを変更するステップとからなるフレームキャプチャ方法。
【発明の詳細な説明】
【技術分野】
【０００１】
本発明は、障害発生時の解析を主な目的として、通信回線に流れる通信フレームを記録するフレームキャプチャシステムおよびフレームキャプチャ方法に関する。
【背景技術】
【０００２】
広帯域モバイルネットワークを使用した携帯端末で提供されるサービスは、多種多様となっている。したがって、携帯端末とサービス提供網との間を流れるフレームも、多種多様である。また当然大容量となり、流れるフレームの数は、大量かつ超高速となる。
【０００３】
そのような中、携帯端末でのサービス実行上の不具合、サービス品質の低下等の障害発生時に、いち早く原因を解析し障害復旧を行なうことが求められている。このために、携帯端末とサービス提供網との間を流れるフレームを全て一定期間（３日程度）保存し、障害原因の特定に役立てる必要が有る。ここで、フレームキャプチャは、障害解析のために使用するので、一つの欠落も許されず、大量かつ超高速のフレームを確実に格納しなくてはならない。
【０００４】
回線容量Ａのフレームを全てキャプチャしようとするならば、回線容量Ａで回線からフレームを取り出し、記録媒体に回線容量Ａで記録するハードウェアが必要となる。回線容量が高速化し、４０Ｇｂｉｔ／ｓ、１００Ｇｂｉｔ／ｓのような記録速度を必要とするので、ＨＤＤ単体の書込み速度の限界から、記録媒体の並列化が必要である。この並列化された記憶媒体にキャプチャフレームを分割し、記録する手法がとられる。
【０００５】
図１および図２を参照して、従来のフレームキャプチャシステムを説明する。図１において、フレームキャプチャシステム９００は、フレーム分割回路（並列化）９０２と、ｎ台のキャプチャ装置９０１とから構成される。フレーム分割回路（並列化）９０２は、ｎ台のキャプチャ装置９０１と接続されている。フレームコピー装置から送信されたフレームは、フレーム分割回路（並列化）９０２によってｎ分割され、ｎ台のキャプチャ装置９０１でその一部分が保存される。
【０００６】
キャプチャ装置９０１に保存されるデータは、分割されたフレームと、時刻情報、識別情報、サービス種別情報等の付加情報とから構成される。これらの、付加情報は、検索に必要な情報である。しかし、キャプチャシステム全体での１フレームに必要な記録容量は、実際のフレーム長と、付加情報×ｎとが必要である。すなわち、分割すればするほどオーバヘッド部分の占める割合が多くなる。
【０００７】
図２を参照して、フレーム分割回路９０２が保持する記録データベースを説明する。図２において、記録データベース９１０は、追番９１１と、時刻情報９１２と、フレーム種別９１３と、格納媒体９１４と、書き込み番地９１５とから構成される。追番９１１は、フレームの順序の番号である。時刻情報９１２は、フレームの受信時刻である。フレーム種別９１３は、フレームのサービス種別である。格納媒体９１４は、当該フレームの格納媒体である。書き込み番地９１５は、格納媒体の書き込み番地である。記録データベース９１０から明らかなように、１フレームは、ｎ分割され、ｎ台のキャプチャ装置９０１に分割されて格納される。なお、格納媒体９１４に記載された格納媒体番号ｍ（ｍ＝１〜ｎ）は、キャプチャ装置９０１−ｍに対応する。
【０００８】
しかし、製品化されているフレームキャプチャシステムでは、システム内の記録媒体の並列化は、ある程度の数に留め、コスト削減し、大型化を抑えている。その引き換え条件として、このフレームキャプチャシステムは、回線容量Ａ全てのフレームを全てキャプチャすることは困難という状態になっている。
特許文献１は、データフィルタを備え測定対象に応じてデータのサンプリングまたは常時キャプチャが可能なパケットキャプチャ装置を開示している。
本発明は、大量かつ超高速のフレームを確実に格納し、サービス種別毎に効率良く格納するフレームキャプチャシステムを提供する。
【先行技術文献】
【特許文献】
【０００９】
【特許文献１】特開２００１−１０３０９０号公報
【発明の概要】
【発明が解決しようとする課題】
【００１０】
装置内の記録媒体を並列化し、フレームを分割して複数の記録媒体に並列記録すれば、記録速度を高めたキャプチャシステムになる。しかし、並列数を増やすほど、大型かつ高価になる。また、フレームを分割して複数の記録媒体に並列記録することは、分割した情報にどのフレームのものであるかの付加情報を分割した情報毎に付与する必要がある。図１において、ハッチングした付加情報の総和は、分割数ｎ×付与情報となり、記録に必要な記録媒体の領域を消費する。１フレーム当たりの記録に必要な記録媒体の容量は、（フレーム情報＋分割数×付与情報）となり、並列処理を行なうほど１フレームの情報量に比べ付与情報が大きくなる。
【００１１】
上述した並列記録方法では、フレームの種別に関係なく、１装置内の並列化した記録媒体に書き込む。このため、記録されたフレームデータは、規則性無く分散される。記録時には、該当フレームデータが記録された記録媒体の識別情報、個々の記録媒体の格納番地、フレームの識別情報を分割した分だけの情報を保持しておかなければならない。フレームデータを読み出す時には、これらの情報を使い対象のフレームデータを収集する。しかし、分割した分だけ記録媒体へのアクセス数は増え、取得のプロセスは複雑になる。また、記録データにも、時刻情報、識別情報、サービス種別情報等の検索に必要と予想される付加情報を分割した分だけ記録する必要が有り、情報整理のために付与しておく情報も必然的に増える。
【００１２】
実際の回線では、回線容量Ａすべてを常に使用するわけでない。にもかかわらず、記録速度Ａの記録装置を用意しなくてはならず、無駄に大型化、高コスト化を生むことになる。キャプチャ装置では、フレームのキャプチャ保存だけでなく、これらのデータを解析するために、外部装置からデータの読出しも有る。この読出し時に記録速度が低下し、フレームの取りこぼしが増える。
【課題を解決するための手段】
【００１３】
本発明のフレームキャプチャシステムでは、キャプチャ装置を複数用意し、フレームを分割せずに、一つのキャプチャ装置に格納する。しかし、回線容量Ａ内で発生するバースト的なフレームに対し、キャプチャ装置の記録性能が不足する状態を生む。そこで、各キャプチャ装置のフレーム入力端のバッファに、閾値を設け、閾値監視機能を盛り込む。閾値を超えた場合に、警報として前段のフレーム振分け装置に通知する。
【００１４】
通知を受けたフレーム振分け装置は、振り先を変更して、キャプチャ記録性能以上のトラヒックをキャプチャ装置に流さないように調整する。また、フレーム振分け装置は、フレーム内のサービス種別情報により、振り先キャプチャ装置を決める。フレーム振分け装置は、サービス種別１種類のフレームが、１つのキャプチャ装置に主に記録するようにする。これにより、そのサービスが使用する回線容量に応じたキャプチャ記録性能のキャプチャ装置を用意することで、無駄に大容量のキャプチャ装置を用意する必要が無くなる。
【００１５】
閾値を超えて他のキャプチャ装置に振分けられたフレームの情報は、振分け変更時に記録する。この記録により、解析のためにフレームを収集するとき、収集しやすくなる。フレームキャプチャ装置ごとに、サービス種別毎にある程度まとめられて格納されている上、フレームが分割されていないため、収集対象のフレームデータが格納されている記録媒体の識別情報を管理する必要性は無いし、管理する記録番地も少なくて良いので、収集に必要なプロセスは単純化される。
【００１６】
キャプチャ装置内の記録媒体では、キャプチャデータの書込みと解析のための読出しを行なう。このため、フレーム書込み性能（ＲＷ性能）は、状況に応じて変化する。この性能の変化により、バッファの閾値を変化させ、記録媒体からのデータ読出しが増えた時のキャプチャデータ記録（W性能）の性能低下に対処する。
【００１７】
上述した課題は、フレームを複数のキャプチャ装置に振分ける振分け装置と、フレームを記録する複数のキャプチャ装置と、記録されたフレームを取り出し解析する解析装置とを備え、キャプチャ装置は、フレーム入力バッファの使用量算出部と、算出部の監視部とを備え、監視部は、使用量が定められたバッファ閾値を超えたとき、閾値異常警報として振分け装置に送出し、振分け装置は、フレームの振分け先を設定する方路設定部を備え、方路設定部は、閾値異常警報を受信したとき、閾値異常警報を送信したキャプチャ装置へのフレーム振分けを停止し、閾値異常警報を送信していないキャプチャ装置へフレーム振分けを変更するフレームキャプチャシステムにより、達成できる。
【００１８】
また、フレームを複数のキャプチャ装置に振分けるステップと、フレーム入力バッファの使用量を算出するステップと、使用量が定められたバッファ閾値を超えたとき、閾値異常警報を送出するステップと、閾値異常警報を受信したとき、閾値異常警報を送信したキャプチャ装置へのフレーム振分けを停止し、閾値異常警報を送信していないキャプチャ装置へフレーム振分けを変更するステップとからなるフレームキャプチャ方法により、達成できる。
【発明の効果】
【００１９】
本発明によれば、フレームの取りこぼしの無いフレームキャプチャシステムについて、比較的安価な性能の高くないキャプチャ装置で構成することができる。
【図面の簡単な説明】
【００２０】
【図１】フレームキャプチャシステムのブロック図である。
【図２】フレーム分割回路が保持する記録データベースを説明する図である。
【図３】ネットワークのブロック図である。
【図４】フレームキャプチャシステムのブロック図である。
【図５】フレーム振分け装置のブロック図である。
【図６】フレームの構成を説明する図である。
【図７】振分け条件初期値を説明する図である。
【図８】振分け条件変更記録を説明する図である。
【図９】キャプチャ装置のブロック図である。
【図１０】記録データベースを説明する図である。
【図１１】振分け条件変更のフローチャートである。
【図１２】振分け条件の変更を記録した振分け条件変更記録を説明する図である。
【図１３】フレークキャプチャシステムの情報収集のフローチャートである。
【図１４】キャプチャ装置特定結果を説明する図である。
【図１５】記録媒体書込み性能算出処理のフローチャートである。
【図１６】フレームキャプチャシステムのブロック図である。
【発明を実施するための形態】
【００２１】
以下、本発明の実施の形態について、実施例を用い図面を参照しながら説明する。なお、実質同一部位には同じ参照番号を振り、説明は繰り返さない。
【００２２】
図３を参照して、フレームキャプチャシステムの適用ネットワークを説明する。ネットワーク７００は、モバイルアクセス網６００と、フレームコピー装置２と、サービス提供網３と、フレームキャプチャシステム１００と、複数の携帯端末２００とから構成されている。モバイルアクセス網６００は、基地局終端装置１と、複数の基地局収容装置４００と、複数の基地局３００とから構成される。サービス提供網３は、ＡサービスおよびＢサービスを含む複数のサービスとから構成される。
【００２３】
基地局３００は、複数の携帯端末２００と無線通信する。基地局収容装置４００は、複数の基地局３００の通信データをまとめて中継する。基地局終端装置１は、基地局３００を制御する。基地局終端装置１は、フレームコピー装置２を介して、サービス提供網３と接続する。フレームコピー装置は、基地局終端装置１と、サービス提供網３との間での通信フレームをコピーして、フレームキャプチャシステム１００に送信する。フレームキャプチャシステム１００は、各携帯端末２００とサービス提供網３内の各種サービス提供サーバとの間でやり取りされる全フレームを一定期間内保存する。保存されたフレームは、携帯端末２００でのサービス実行上の不具合、サービス品質の低下等の障害発生時に、いち早く原因を解析し障害復旧を行うために使用される。
【００２４】
図４を参照して、フレームキャプチャシステムの構成を説明する。図４において、フレームキャプチャシステム１００は、フレーム振分け装置４と、Ｎ台のキャプチャ装置５０と、フレーム解析装置６とから構成される。フレーム振分け装置４は、フレーム振分け部４１０と、バッファ閾値警報受信部４０２と、振分け条件初期値４０３と、振分け条件変更記録４０４とから構成される。キャプチャ装置５０は、キャプチャバッファ５１０と、記録媒体５２０と、バッファ閾値監視部５３０と、ＲＷ（リードライト）性能監視部５５０とから構成される。
【００２５】
基地局終端装置１とサービス提供網３との間の通信フレームは、フレームコピー装置２においてコピーされ、フレーム振分け装置４に入力される。フレーム振分け装置４は、出力Ｎ本にフレーム振分け部４１０にて振分ける。この時、フレーム内のサービス種別情報により、各キャプチャ装置５０に振分ける。これにより、各キャプチャ装置５０には担当するサービス種別のフレームが概ね集中して記録される。
【００２６】
キャプチャ装置５０は、フレームを一度キャプチャバッファ５１０に格納した後、順次記録媒体５２０にフレームを記録する。
【００２７】
バッファ閾値監視部５３０は、キャプチャバッファ５１０のバッファ使用量を監視する。具体的には、バッファ閾値監視部５３０は、定められたバッファ使用量を越えないか監視する。バッファ閾値監視部５３０は、規定のバッファ使用量を超えた場合、閾値異常警報をフレーム振分け装置４のバッファ閾値警報受信部４０２へ送る。
【００２８】
警報を受けた警報受信部４０２は、振分け条件初期値４０３に基づき振分けされている振分け条件を変更するように、フレーム振分け部４１０に指示する。フレーム振分け部４１０では、その指示を基に振分け条件を変更する。その変更内容は、振分け条件変更記録４０４に記録する。
【００２９】
キャプチャバッファ５１０の使用量の閾値は、キャプチャ装置５０の動作状態により変化させる。キャプチャ装置５０は、キャプチャされたフレームデータの書込みを記録媒体５２０に行なうが、記録だけでなく、解析のためのフレームデータ読出しも行なう。このため、キャプチャ装置５０の記録性能は、随時変化する。そこで、ＲＷ性能監視部５５０は、記録媒体５２０の書込み・読出し状態を監視し、その時の記録性能を監視する。この性能値を元に、キャプチャ装置５０は、バッファ使用量の閾値を変化させる。
【００３０】
記録媒体５２０に記録されたデータを取得して解析するフレーム解析装置６は、取得対象のフレームデータが、どのキャプチャ装置５０に有るかの情報を、振分け条件変更記録４０４から入手して、データの取得を行う。
【００３１】
なお、フレーム振分けの手段として、サービス種別により振分ける方法だけでなく、サービスエリア別に振分け、サービスエリアのトラヒックの状況に応じて時間でキャプチャ装置の分担を分ける方法でも良い。
【００３２】
図５を参照して、フレーム振分け装置の構成を説明する。図５において、フレーム振分け装置４のフレーム振分け部４１０は、ヘッダ抽出回路４１１と、サービス種別情報抽出回路４１２と、方路設定回路４１３と、方路設置レジスタ４１４と、方路回路４１５と、振分け条件テーブル４１６と、振分け条件変更部４１７とから構成される。
【００３３】
ヘッダ抽出回路４１１は、フレームのヘッダ情報を抽出する。さらに、サービス種別情報抽出回路４１２は、サービス情報を抽出し、方路設定レジスタ４１４に送る。方路設定レジスタ４１４は、該当のサービス種別の信号だけ”１”を出力する。この信号が方路回路４１５内のサービス種別に該当したゲートを開き、該当のキャプチャ装置５０へとフレームを振分ける。なお、方路回路の各ゲートには、フレームが送信されている。
【００３４】
方路設定回路４１３は、振分け条件テーブル４１６の情報を基に、方路設定レジスタ４１４の内容を書換え、フレームの方路を変更する。振分け条件テーブル４１６の情報は、振分け条件初期値４０３をデフォルトとする。
【００３５】
バッファ閾値警報受信部４０２は、キャプチャ装置５０からの閾値異常警報を受信する。バッファ閾値警報受信部４０２は、閾値異常警報を振分け条件変更部４１７に転送する。振分け条件変更部４１７は、警報送出のキャプチャ装置への方路設定を他のキャプチャへ変更する。振分け条件変更部４１７は、その内容を、振分け条件テーブル４１６に反映する。振分け条件テーブル４１６の変更は、変更した時刻情報と共に、振分け条件変更記録４０４として残しておく。
【００３６】
図６を参照して、フレームの構成を説明する。図６において、フレーム８００は、ヘッダ８１０とデータ８２０とで構成される。また、ヘッダ８１０は、サービス種別８１１を含んでいる。
図５において、ヘッダ抽出回路４１１は、フレーム８００からヘッダ８１０を抽出する。サービス種別情報抽出回路４１２は、ヘッダ８１０からサービス種別８１１を抽出する。
【００３７】
図７を参照して、振分け条件初期値を説明する。図７において、振分け条件初期値４０３は、サービス種別４０３１と、振り先４０３２とから構成される。振り先４０３２に記載されたキャプチャ装置ｉ（ｉ＝１〜ｎ）は、キャプチャ装置５０−ｉを意味する。具体的には、初期において、サービス種別情報抽出回路４１２は、Ａサービスについて、キャプチャ装置５０−１に振り分ける。
【００３８】
図８を参照して、振分け条件変更記録を説明する。図８において、振分け条件変更記録４０４は、サービス種別４０４１と、振り先４０４２と、この振分け条件の実施時刻４０４３とから構成される。サービス種別４０４１と、振り先４０４２とは、サービス種別４０３１と、振り先４０３２と同じである。この振分け条件の実施時刻４０４３は、この振分け条件の実施開始時刻と、終了時刻で構成されている。
【００３９】
図９を参照して、キャプチャ装置の構成を説明する。図９において、キャプチャバッファ５１０は、フレーム受信検出回路５１１と、書込み制御回路５１２と、書込み番地制御回路５１３と、読出し制御回路５１４と、読出し番地制御回路５１５と、バッファ５１６と、空き番地管理回路５１７と、バッファ使用量算出回路５１８とから構成される。
【００４０】
記憶媒体５２０は、記録エリア５２１と、書込み制御回路５２２と、読出し制御回路５２３と、時刻情報付与回路５２４と、記録データベース５２５とから構成される。
バッファ閾値監視部５３０は、バッファ閾値比較回路５３１と、バッファ閾値５３２と、閾値警報生成回路５３３とから構成される。ＲＷ性能監視部５５０は、書込み数／読出し数カウント回路５５１と、記憶媒体書込み性能値算出回路５５２とから構成される。
【００４１】
フレーム受信検出回路５１１は、フレームの受信を検出する。書込み制御回路５１２は、書き込む番地を、書込み番地制御回路５１３から取得する。書込み制御回路５１２は、取得した書込み番地のバッファ５１６にフレームを書き込む。書込み番地制御回路５１３は、空き番地管理回路５１７からバッファ５１６の中で空いている番地の情報を取得し、その中から書き込む番地を決定する。空き番地管理回路５１７は、書込み制御回路５１２から書き込んだ番地の情報を、読出し制御回路５１４から読み出した番地の情報を取得し、空き番地を管理する。読出し制御回路５１４では、読出し番地制御回路５１５で決定された読出し番地を基に、バッファ５１６からフレームデータを読出し、記録媒体５２０へ送る。
【００４２】
記録媒体５２０に入力されたフレームデータについて、時刻情報付与回路５２４は、時刻情報を付与する。時刻情報を付与されたフレームデータについて、書込み制御回路５２２は、サービス種別毎に決められた記録エリア５２１に記録する。書込み制御回路５２２は、記録データベース５２５に、時刻情報、サービス種別、書込み番地を書き込む。
【００４３】
フレーム解析装置６からの読出しでは、記録データベース５２５を基に、情報収集対象のフレームデータの書込み番地を特定し、読出し制御回路５２３で記録エリア５２１からデータを読出し、フレーム解析装置６に送る。
【００４４】
書込み制御回路５２２での書込み動作と、読出し制御回路５２３での読み出し動作について、ＲＷ性能監視部５５０の書込み数／読出し数カウント回路５５１は、書き込んだフレーム数と読み出したフレーム数としてカウントする。記録媒体書込み性能値算出回路５５２は、そのカウント数を基に、書込み性能値を算出し、バッファ閾値監視部５３０内のバッファ閾値５３２を変更する。
【００４５】
キャプチャバッファ５１０内の空き番地管理回路５１７からの情報に基づき、バッファ使用量算出回路５１８は、バッファ使用量を算出する。このバッファ使用量と、バッファ閾値５３２をバッファ閾値比較回路５３３で比較し、バッファ使用量が閾値を超えれば、閾値警報生成回路５３３で閾値異常警報を送出する。
【００４６】
図１０を参照して、記録データベースを説明する。図１０において、記録データベース５２５は、追番５２５１と、時刻情報５２５２と、サービス種別５２５３と、書込み番地５２５４とから構成される。書込み制御回路５２２は、フレームデータを記録エリア５２１に書込むたびに、記録データベース５２５にレコードを追加する。
【００４７】
図１１を参照して、フレーム振分け装置での振分け条件変更の処理を説明する。図１１において、フレーム振分け装置４は、初期状態は、振分け条件初期値４０３の条件で振分ける。フレーム振分け装置４は、閾値異常警報を受信していないか判定する（Ｓ４０２）。ＹＥＳのとき、フレーム振分け装置４は、振分け条件変更部４１７にて警報送出のキャプチャ装置を判断する（Ｓ４０３）。フレーム振分け装置４は、警報送出キャプチャ装置担当のサービス種別フレームを振り替えるキャプチャ装置をランダムに選択する（Ｓ４０４）。フレーム振分け装置４は、選択された変更先の情報を振分け条件テーブル４１６に反映する（Ｓ４０６）。フレーム振分け装置４は、振分け条件テーブル４１６の変更内容について変更した時刻情報と共に、振分け条件変更記録４０４として残しておく（Ｓ４０７）。
【００４８】
フレーム振分け装置４は、振分け条件テーブル４１６に変更された内容を基に、方路設定回路４１３は方路設定レジスタ４１４の内容を書換える（Ｓ４０８）。例えば、サービス種別Ａ担当のキャプチャ装置へのフレームを止めて、Ｂ担当のキャプチャ装置へ振分け変更するならば、Ａ＝１をＡ＝０とし、Ｂ＝１をＡｏｒＢ＝１とする。変更後、フレーム振分け装置４は、また閾値異常警報５４０を受信していないか判定する（Ｓ４０９）。ＹＥＳならば、フレーム振分け装置４は、ステップ４０３に遷移する。ステップ４０８でＮＯならば、フレーム振分け装置４は、振分け条件テーブル４１６を振分け条件初期値４０３に戻す（Ｓ４１１）。これを受けて、フレーム振分け装置４は、方路設定回路４１３の方路設定レジスタ４１４の内容を初期値へと戻す（Ｓ４１２）。フレーム振分け装置４は、この時の変更内容も、変更した時刻情報と共に、振分け条件変更記録４０４として残しておく（Ｓ４１３）。
【００４９】
図１２を参照して、ここでの振分け条件変更記録を説明する。振分け条件変更記録４０４は、３つのレコードを記録している。最初のレコードで、Ａサービスはキャプチャ装置５０−１の記録媒体５２０に記録されている。１７：５４：５０からの次のレコードでは、Ａサービスはキャプチャ装置５０−３の記録媒体５２０に記録されている。さらに、１８：３０：５０からのレコードでは、Ａサービスは再びキャプチャ装置５０−１の記録媒体５２０に記録されている。
【００５０】
図１３を参照して、フレーム解析装置とキャプチャ装置とでの情報取得処理を説明する。図１３において、フレーム解析装置６は、データ収集を開始すると、振分け条件変更記録４０４の情報を取得する（Ｓ６０１）。フレーム解析装置６は、情報取得対象のサービス種別を確認し（Ｓ６０２）、フレーム解析装置６は、振分け条件変更記録４０４から情報取得対象のサービス種別の情報を絞り込む（Ｓ６０３）。次に、フレーム解析装置６は、情報取得対象の時刻範囲を確認し（Ｓ６０４）、Ｓ６０３で絞り込んだ振分け条件変更記録からさらに情報取得対象の情報を絞り込む（Ｓ６０６）。フレーム解析装置６は、この絞り込まれた振分け条件変更記録からデータを収集すべきキャプチャ装置５０を判断する（Ｓ６０７）。この結果に基づき、フレーム解析装置６は、情報収集対象キャプチャ装置にアクセスする（Ｓ６０８）。
【００５１】
キャプチャ装置５０は、情報収集対象のサービス種別を確認する（Ｓ６０９）。キャプチャ装置５０は、フレーム記録時に作成された記録データベース５２５から、情報収集対象時刻のフレームが格納されている番地を特定する（Ｓ６１１）。キャプチャ装置５０は、情報収集対象のサービス種別と時刻情報から読出し対象の番地を特定できる。キャプチャ装置５０は、特定した番地のデータを読出す（Ｓ６１２）。キャプチャ装置５０は、読出したデータをフレーム解析装置６へ転送する（Ｓ６１３）。
【００５２】
キャプチャ装置５０から転送されたデータを、フレーム解析装置６は、内部の記録媒体に記録する（Ｓ６１４）。フレーム解析装置６は、記録されたデータを、データ内の時刻情報を基にソートして時刻順に並べ替えて（Ｓ６１６）、終了する。
【００５３】
図１４を参照して、キャプチャ装置特定結果を説明する。図１４において、キャプチャ装置特定結果６２０は、サービス種別６２１と、検索対象時間６２２と、データ取出し対象装置６２３とから構成される。検索対象時間６２２は、開始時刻と終了時刻とから構成される。データ取出し対象装置６２３欄のキャプチャ装置ｉは、キャプチャ装置５００−ｉである。また、図１４のキャプチャ装置特定結果６２０は、図１２の振分け条件変更記録４０４と対応している。すなわち、Ａサービスは、最初のレコードで、キャプチャ装置５０−１に記録されている。１７：５４：５０からの次のレコードでは、キャプチャ装置５０−３に記録されている。さらに、１８：３０：５０からのレコードでは、再びキャプチャ装置５０−１に記録されている。
【００５４】
図１５を参照して、記録媒体書込み性能値算出とバッファ閾値変更との処理を説明する。図１５において、キャプチャ装置５０は、読出し数書込み数カウント回路５５１にて、書込み制御回路５２２で書き込みしたフレーム数と、読出し制御回路５２３で読み出したフレーム数を確認する（Ｓ８０１，Ｓ８０２）。キャプチャ装置５０は、記録媒体書込み性能値算出回路５５２にて、フレームの書込みと読出しの合計１００回当たりの、書込み数と読出し数と算出する（Ｓ８０３）。キャプチャ装置５０は、読出しフレーム数／１００＝”バッファ閾値減量割合”を算出する（Ｓ８０４）。具体的には、読出しフレーム数が２５とすると、
２５／１００＝０．２５
なので、バッファ閾値減量割合は０．２５となる。（１−バッファ閾値減量割合）を、現状のバッファ閾値５３２に掛け、バッファ閾値を変更し（Ｓ８０６）、ステップＳ８０１に戻り、記録媒体書込み性能値に基づき、バッファ閾値５３２をリアルタイムに変化させる。
【００５５】
図１６を参照して、フレームキャプチャシステムでの管理情報量の削減の有効性について説明する。図１６において、フレームキャプチャシステム１００は、フレーム振分け装置４１０と、ｎ台のキャプチャ装置５０とを含んでいる。また、各キャプチャ装置５０は、記録媒体５２０を保持する。キャプチャ装置５０は、それぞれ主に担当するサービス種別を事前に決定されている。具体的には、キャプチャ装置５０−１はサービス種別Ａ、キャプチャ装置５０−２はサービス種別Ｂをキャプチャする。また、フレーム振分け装置４１０は、フレームを分割せずに、キャプチャ装置５０のいずれかに送信する。この結果、１フレームを記録するに必要な記録容量は、システム全体でも、（フレーム情報＋付与情報）となる。
【００５６】
上述した実施例において、フレームキャプチャシステム１００は、フレームを分割せずにフレーム振分け装置４１０で振分ける。キャプチャ装置５０は、記録媒体５２０へのキャプチャデータの格納は、１フレーム毎に格納する。
【００５７】
また、フレームキャプチャシステム１００は、サービス種別毎に主担当するキャプチャ装置５０を分けている。フレームを分割していないので、記録媒体５２０に記録した際、１フレーム当たりに必要な記録媒体の容量は（フレーム情報＋付与情報）となり、記録媒体の容量を削減できる。また、記録媒体からデータを取得する時に必要な、記録したデータを管理する記録データベースで保持しなければならない情報も減る。記録媒体の識別情報は不要の他、書込み番地も１台分を管理すればよい。その分、記録媒体５２０からデータを取得する時の読出しプロセスも少なく出来る。
【００５８】
また、サービス種別ごとに格納するキャプチャ装置を分けているので、トラヒックの違うサービス種別ごとに合わせた記録性能のキャプチャ装置を用意すれば良い。これにより、無駄に高性能の記録性能を持ったキャプチャ装置を用意する必要が無くなる。
【符号の説明】
【００５９】
１…基地局終端装置、２…フレームコピー装置、３…サービス提供網、４…フレーム振分け装置、６…フレーム解析装置、５０…キャプチャ装置、１００…フレームキャプチャシステム、２００…携帯端末、３００…基地局、４００…基地局収容装置、４０２…バッファ閾値警報受信部、４０３…振分け条件初期値、４０４…振分け条件変更記録、４１０…フレーム振分け部、４１１…ヘッダ抽出回路、４１２…サービス種別情報抽出回路、４１３…方路設定回路、４１４…方路設定レジスタ、４１５…方路回路、４１６…振分け条件テーブル、４１７…振分け条件変更部、５１０…キャプチャバッファ、５１１…フレーム受信検出回路、５１２…書込み制御回路、５１３…書込み番地制御回路、５１４…読出し制御回路、５１５…読出し番地制御回路、５１６…バッファ、５１７…空き番地管理回路、５１８…バッファ使用量算出回路、５２０…記録媒体、５２１…サービス種別別記録エリア、５２２…書込み制御回路、５２３…読出し制御回路、５２４…時刻情報付与回路、５２５…記録データベース、５３０…バッファ閾値監視部、５３１…バッファ閾値比較回路、５３２…バッファ閾値、５３３…閾値警報生成回路、５４０…閾値異常警報、５５０…ＲＷ性能監視部、５５１…書込み数読出し数カウント回路、５５２…記録媒体書込み性能算出回路、６００…モバイルアクセス網、７００…ネットワーク、９００…超高速フレームキャプチャ装置、８００…フレーム、９０１…記録媒体、９０２…フレーム分割回路。
【図１】
2010178299.tif 000003
【図２】
2010178299.tif 000004
【図３】
2010178299.tif 000005
【図４】
2010178299.tif 000006
【図５】
2010178299.tif 000007
【図６】
2010178299.tif 000008
【図７】
2010178299.tif 000009
【図８】
2010178299.tif 000010
【図９】
2010178299.tif 000011
【図１０】
2010178299.tif 000012
【図１１】
2010178299.tif 000013
【図１２】
2010178299.tif 000014
【図１３】
2010178299.tif 000015
【図１４】
2010178299.tif 000016
【図１５】
2010178299.tif 000017
【図１６】
2010178299.tif 000018